(57)【特許請求の範囲】
【請求項１】
鋼管支持アセンブリをロックするように構成された横方向プルロッド機構であって、
プルロッド（２０１）と、
上側連結プレート（２０８）と、
前記上側連結プレート（２０８）内に設けられたプルロッド貫通穴（２０２）と、
下側連結プレート（２０９）と、
前記下側連結プレート（２０９）内に設けられた下側横方向プルロッドクランプ溝（２１０）と、
前記上側連結プレート（２０８）および前記下側連結プレート（２０９）の間に設けられた中間連結ブロック（２１１）と、
前記中間連結ブロック（２１１）内に設けられた中間横方向プルロッドクランプ溝（２１２）と、
前記プルロッド（２０１）の上側端部に設けられたねじ付きセクション（２０３）と、
前記ねじ付きセクション（２０３）に螺着するように構成された締め付けナット（２０４）と、
前記プルロッド（２０１）の下側端部に設けられ、前記プルロッド（２０１）が前記下側横方向プルロッドクランプ溝（２１０）から垂直に係合解除することを防止するように構成された係合解除防止部分（２０５）と、
前記係合解除防止部分（２０５）が外方向に摺動することを防止するように構成された横方向停止プレート（２０６）と、
を備え、
回転防止部分（２０７）が、前記プルロッド（２０１）と前記係合解除防止部分（２０５）との間に設けられるとともに、前記下側横方向プルロッドクランプ溝（２１０）と共働して前記プルロッド（２０１）の回転を防止するように構成され、
前記回転防止部分（２０７）が、前記下側横方向プルロッドクランプ溝（２１０）と共働するように構成された２つの回転防止横方向表面を有する、
鋼管支持アセンブリをロックするように構成された横方向プルロッド機構。
【請求項２】
前記プルロッド（２０１）、前記係合解除防止部分（２０５）および前記回転防止部分（２０７）が、一体型ユニットになるように、一体的に形成され、または溶接される、
請求項１に記載の鋼管支持アセンブリをロックするように構成された横方向プルロッド機構。
【請求項３】
前記横方向停止プレート（２０６）が、前記下側連結プレート（２０９）の曲がり端部によって形成される、または前記横方向停止プレート（２０６）が、前記下側連結プレート（２０９）に固定式に連結された底部プレートと、前記底部プレートに連結された曲がりプレートとを備える、
請求項１に記載の鋼管支持アセンブリをロックするように構成された横方向プルロッド機構。
【請求項４】
前記中間連結ブロック（２１１）が、連結本体（２１１１）と、前記連結本体（２１１１）の端部に設けられた挿入本体（２１１２）と、前記連結本体（２１１１）上に設けられた一対の停止ブロック（２１１３）と、を備え、
前記中間横方向プルロッドクランプ溝（２１２）は、前記連結本体（２１１１）の前記挿入本体（２１１２）に近い端部に配置され、
連結本体（２１１１）は、矩形断面を有し、前記連結本体（２１１１）の幅方向の前記連結本体（２１１１）の２つの横方向表面には、前記連結本体（２１１１）の長さ方向に沿って延びる細長い溝（２１１５）が各々設けられ、凹状空洞（２１１４）が、前記連結本体（２１１１）の端面に設けられる、
請求項１に記載の鋼管支持アセンブリをロックするように構成された横方向プルロッド機構。
【請求項５】
下側連結ブロック（２１３）が、前記下側連結プレート（２０９）の端部分に設けられ、
前記下側連結ブロック（２１３）には、
挿入式連結空洞（２１３１）と、
前記挿入式連結空洞（２１３１）と連通する開放スロット（２１３２）と、
前記開放スロット（２１３２）の端部に位置する端部停止縁（２１３３）と、
前記開放スロット（２１３２）とは反対側の底部横方向表面内に設けられた底部開口部（２１３４）と、が設けられる、
請求項１に記載の鋼管支持アセンブリをロックするように構成された横方向プルロッド機構。
【請求項６】
前記底部開口部（２１３４）の２つの側にそれぞれ位置する横方向バッフル（２１３５）と、
前記横方向バッフル（２１３５）および前記挿入式連結空洞（２１３１）の側壁によって形成された案内取り付け溝（２１３６）と、をさらに含む、
請求項５に記載の鋼管支持アセンブリをロックするように構成された横方向プルロッド機構。
【請求項７】
下側連結ブロック（２１３）が、前記下側連結プレート（２０９）の端部分に設けられ、前記下側連結ブロック（２１３）には、挿入式連結空洞（２１３１）と、前記挿入式連結空洞（２１３１）と連通する開放スロット（２１３２）と、前記開放スロット（２１３２）の端部に位置する端部停止縁（２１３３）と、前記開放スロット（２１３２）とは反対側の底部溝（２１３７）と、が設けられ、
前記底部溝（２１３７）の底部壁は、底部連結プレート（２１３８）を形成する、
請求項１に記載の鋼管支持アセンブリをロックするように構成された横方向プルロッド機構。
【請求項８】
位置限定横方向表面が、係合解除防止部分（２０５）上に設けられて前記プルロッド（２０１）の回転を防止する、
請求項１に記載の鋼管支持アセンブリをロックするように構成された横方向プルロッド機構。
【請求項９】
鋼管支持アセンブリをロックするように構成された横方向プルロッド機構であって、
プルロッド（２０１）と、
上側連結プレート（２０８）と、
前記上側連結プレート（２０８）内に設けられた上側横方向プルロッドクランプ溝（２１４）と、
下側連結プレート（２０９）と、
前記下側連結プレート（２０９）内に設けられた下側横方向プルロッドクランプ溝（２１０）と、
前記上側連結プレート（２０８）および前記下側連結プレート（２０９）の間に設けられた中間連結ブロック（２１１）と、
前記中間連結ブロック（２１１）内に設けられた中間横方向プルロッドクランプ溝（２１２）と、
前記プルロッド（２０１）の上側端部に設けられたねじ付きセクション（２０３）と、
前記ねじ付きセクション（２０３）に螺着するように構成された締め付けナット（２０４）と、
前記プルロッド（２０１）の下側端部に設けられ、前記プルロッド（２０１）が前記下側横方向プルロッドクランプ溝（２１０）から垂直に係合解除することを防止するように構成された係合解除防止部分（２０５）と、
前記係合解除防止部分（２０５）が外方向に摺動することを防止するように構成された横方向停止プレート（２０６）と、
前記プルロッド（２０１）の回転を防止するように構成された回転防止部分（２０７）と、を備え、
前記上側連結プレート（２０８）には、前記締め付けナット（２０４）が前記上側横方向プルロッドクランプ溝（２１４）から係合解除することを防止するように構成された停止プレート（２１５）がさらに設けられ、
前記回転防止部分（２０７）が、前記プルロッド（２０１）と前記係合解除防止部分（２０５）との間に設けられるとともに、前記中間横方向プルロッドクランプ溝（２１２）と共働するように構成された回転防止横方向表面を有する、
鋼管支持アセンブリをロックするように構成された横方向プルロッド機構。
【請求項１０】
前記停止プレート（２１５）が、
開放スロットを有するプレート本体と、
前記プレート本体上に設けられ、前記開放スロットの２つの側部にそれぞれ位置する端部伸張プレートと、を備える、
請求項９に記載の鋼管支持アセンブリをロックするように構成された横方向プルロッド機構。
【請求項１１】
前記回転防止部分（２０７）が、前記係合解除防止部分（２０５）上に設けられた位置限定横方向表面を備える、
請求項９に記載の鋼管支持アセンブリをロックするように構成された横方向プルロッド機構。  
【発明の詳細な説明】
【技術分野】
【０００１】
本出願は、鋼管輸送の技術分野に関し、より詳細には、鋼管支持アセンブリをロックするように構成された横方向プルロッド機構に関する。
【背景技術】
【０００２】
鋼管は、製造後、積み重ねて輸送する必要があり、積み重ねプロセスおよび輸送プロセス中、製造された鋼管を損傷から防止するために、鋼管は、積み重ねプロセスおよび輸送プロセス中に支持デバイス上に置かれる。梱包、積み重ね、輸送および支持デバイスが、２０１０年４月２３日に公開された中国実用新案第２０１０４９７９５Ｕ号明細書に開示され、このデバイスは、鋼管を互いに分離する中間支持部材と、複数の鋼管を束ねるように構成された鋼ベルトとを含む。中間支持部材は、鋼管の形状と合致する円形の弓形状の溝の上側列および下側列を有し、中間支持部材の材料は、高強度プラスチックであり、鋼管を梱包し、積み重ね、輸送し、支持するための実用新案におけるデバイスは、鋼管が互いに衝突し、互いに擦り合うことを防止し、それによって鋼管の表面を損傷から保護することができる。
【０００３】
しかし、現在、鋼管が、輸送および支持デバイスを使用することによって積み重ねられたとき、積み重ね後に鋼管を締め付ける必要があり、締め付けプロセスは、数多くの手順を有し、遅く、作動が複雑であり、時間がかかり、多大な労力を必要とする。
【発明の概要】
【発明が解決しようとする課題】
【０００４】
本出願の目的は、鋼管支持アセンブリをロックするように構成された横方向プルロッド機構であって、従来の技術の欠点に対処することができ、新規の構造を有し、低コストであり、製造が便利で、作動が容易であり、時間および労力を節約する、横方向プルロッド機構を提供することである。
【課題を解決するための手段】
【０００５】
本出願は、以下の技術的解決策によって実現される。鋼管支持アセンブリをロックするように構成された横方向プルロッド機構は、プルロッドと、上側連結プレートと、上側連結プレート内に設けられたプルロッド貫通穴と、下側連結プレートと、下側連結プレート内に設けられた下側横方向プルロッドクランプ溝と、上側連結プレートと下側連結プレートとの間に設けられた中間連結ブロックと、中間連結ブロック内に設けられた中間横方向プルロッドクランプ溝と、プルロッドの上側端部に設けられたねじ付きセクションと、ねじ付きセクションに螺着するように構成された締め付けナットと、プルロッドの下側端部に設けられ、プルロッドが下側横方向プルロッドクランプ溝から垂直に係合解除することを防止するように構成された係合解除防止部分と、係合解除防止部分が外方向に摺動することを防止するように構成された横方向停止プレートとを含む。
【０００６】
本出願の構造によれば、第１に、中間横方向プルロッドクランプ溝および下側横方向プルロッドクランプ溝は、一緒になって、プルロッドを横側から置くことを可能にする通路を形成し、第２に、プルロッドが通路内に横方向に置かれた後、持ち上げ作動を実行することによって、係合解除防止部分が垂直にブロックされ、次いで、上側端部にあるナットがプルロッドの上側端部にあるねじ付きセクションに螺着され、それによってプルロッドが垂直に移動しなくなることを確実にし、一方で、横方向停止プレートは、係合解除防止部分を横方向に制限し、それによってプルロッドが摺動して横方向に通路から退出しないことを確実にすることができる。
【０００７】
本出願における垂直連結機構を有する鋼管支持デバイスは、たとえば、米国特許第７０８０８６４Ｂ２号明細書の図１の従来の構造と比較され、この構造では、鋼管の束の持ち上げには、複数のセットの鋼管支持デバイス（通常は２から４セット）を必要とし、鋼管支持デバイスの各セットは、（本出願の鋼管支持フレームに等しい）いくつかのホルダおよびホルダの２つの側にある（垂直連結機構と等しい）固定部材とから構成される。
【０００８】
取り付け方法が、以下の通りに説明される。
【０００９】
第１に、各層のホルダは、対応するコネクタに連結される。たとえば、最低層ホルダの２つの端部は、２つの底部コネクタにそれぞれ連結され、中間層ホルダの２つの端部は、２つのＵ字形構成要素にそれぞれ連結され、最上層ホルダは、２つの上側コネクタに連結される。第２に、複数の底部層ホルダが、束ねられたホルダのセットの数にしたがって作業台上に置かれ、それによってホルダの溝が、軸方向に位置合わせされて鋼管の配置を容易にすることを確実にする。次いで、鋼管の第１の層は、最低層ホルダ上に置かれ、次いで、中間層ホルダは、鋼管の第１の層上に置かれ、次いで鋼管は、中間層ホルダ上に置かれ、上記のプロセスは、繰り返され、最後に最上層ホルダが置かれる。この時点で、鋼管およびホルダの配置が終了する。
【００１０】
次いで、次のステップに進んでホルダの各セットを固定する。
【００１１】
米国特許第７０８０８６４Ｂ２号明細書におけるホルダに関しては、この時点で、２つのねじ付きロッドが、上側コネクタ、Ｕ字形コネクタ、および底部コネクタを上部から底部に連続して通過するために必要とされ、最終的には底部コネクタ内に事前に取り付けられ固定されたナットに螺合され、次いで、上部層ナットが、ねじ付きロッドの上側端部に螺着されてデバイス全体のロックを実現する。この位置合わせは、ねじ付きロッドを取り付けるプロセス中では難しく、作業者は、横方向プルロッド機構が位置する側部で作動することが求められ、さらに、トルク伝達も難しく、螺合するためにねじ付きロッドをクランプするために、クランプが必要とされる。
【００１２】
これに対して、本出願による垂直連結機構を使用することにより、プルロッドをねじってナット内に螺合するステップは、直接的に省略され、プルロッドを横方向から通路内に直接置き、次いで持ち上げて張力をかけることができ、最終的に、プルロッドは、上側端部においてナットによってロックされる。工作品は、特定の許容を有するように設計されているため、プルロッドを横方向に置くとき、ナットを使用する状況において必要とされるように非常に正確に位置合わせすることは必要ではなく、作業者は、作業台の１つの側で作動を完了することができ、これは、スペースが限定されているために両側での作動が許容されないという欠点を有する一部の工場に適するものである。さらに、本出願は、工具を使用してプルロッドをナットに固定する時間のかかる作動を省略し、したがってこの工具を省く。
【００１３】
好ましい解決策として、回転防止部分が、プルロッドと係合解除防止部分との間に設けられ、中間横方向プルロッドクランプ溝と共働してプルロッドの回転を防止するように構成される。
【００１４】
好ましい解決策として、回転防止部分は、中間横方向プルロッドクランプ溝と共働するように構成された２つの回転防止横方向表面を有する。
【００１５】
好ましい解決策として、プルロッド、係合解除防止部分、および回転防止部分は、一体型ユニットになるように一体的に形成され、または溶接される。
【００１６】
好ましい解決策として、横方向停止プレートは、下側連結プレートの曲がり端部によって形成され、または、横方向停止プレートは、下側連結プレートに固定して連結された底部プレートと、底部プレートに連結された曲がりプレートとを含む。
【００１７】
好ましい解決策として、中間連結ブロックは、連結本体と、連結本体の端部に設けられた挿入本体と、連結本体上に設けられた一対の停止ブロックとを含み、中間横方向プルロッドクランプ溝は、連結本体の挿入本体に近い端部に配置され、挿入本体は、矩形断面を有し、挿入本体の幅方向の挿入本体の２つの横方向表面には、挿入本体の長さ方向に沿って延びる細長い溝が各々設けられ、凹状空洞が、連結本体の端面に設けられる。
【００１８】
好ましい解決策として、下側連結ブロックが、下側連結プレートの端部分に設けられ、下側連結ブロックには、挿入式連結空洞と、挿入式連結空洞と連通する開放スロットと、開放スロットの端部に位置する端部停止縁と、開放スロットとは反対側の底部横方向表面内に設けられた底部開口部とが設けられる。
【００１９】
好ましい解決策として、横方向プルロッド機構は、さらに、底部開口部の２の側にそれぞれ位置する横方向バッフルと、横方向バッフルおよび挿入式連結空洞の側壁によって形成された案内取り付け溝とを含む。
【００２０】
好ましい解決策として、下側連結ブロックが、下側連結プレートの端部分に設けられ、下側連結ブロックには、挿入式連結空洞と、挿入式連結空洞と連通する開放スロットと、開放スロットの端部に位置する端部停止縁と、開放スロットの反対側の底部溝とが設けられ、底部溝の底壁は、底部連結プレートを形成する。
【００２１】
好ましい解決策として、位置限定横方向表面が、係合解除防止部分上に設けられてプルロッドの回転を防止する。
【００２２】
鋼管支持アセンブリをロックするように構成された横方向プルロッド機構は、プルロッドと、上側連結プレートと、上側連結プレート内に設けられた上側横方向プルロッドクランプ溝と、下側連結プレートと、下側連結プレート内に設けられた下側横方向プルロッドクランプ溝と、上側連結プレートと下側連結プレートとの間に設けられた中間連結ブロックと、中間連結ブロック内に設けられた中間横方向プルロッドクランプ溝と、プルロッドの上側端部に設けられたねじ付きセクションと、ねじ付きセクションに螺着するように構成された締め付けナットと、プルロッドの下側端部に設けられ、プルロッドが下側横方向プルロッドクランプ溝から垂直に係合解除することを防止するように構成された係合解除防止部分と、係合解除防止部分が外方向に摺動することを防止するように構成された横方向停止プレートと、プルロッドの回転を防止するように構成された回転防止部分とを含み、上側連結プレートには、さらに、締め付けナットが上側横方向プルロドクランプ溝から係合解除することを防止するように構成された停止プレートが設けられる。
【００２３】
この技術的解決策では、上側横方向プルロッドクランプ溝、中間横方向プルロッドクランプ溝および下側横方向プルロッドクランプ溝は、一緒になって、プルロッドを横側から置くことを可能にする通路を形成し、第２に、プルロッドが通路内に横方向に置かれた後、持ち上げ作動を実行することによって、係合解除防止部分が垂直にブロックされ、次いで、上側端部にあるナットがプルロッドの上側端部にあるねじ付きセクションに螺着され、それによってプルロッドが垂直に移動しなくなることを確実にし、一方で、横方向停止プレートは、係合解除防止部分を横方向に制限し、それによってプルロッドが摺動して横方向に通路から退出しないことを確実にすることができ、プルロッドの上側端部上の締め付けナットは、停止プレートによってブロックされ、それによって上部および底部において横方向のブロック作用を実現する。そのような構造により、取り付けはより速く、より便利になる。
【００２４】
好ましい解決策として、停止プレートは、開放スロットを有するプレート本体と、プレート本体上に設けられ、開放スロットの２つの側部にそれぞれ位置する端部伸張プレートとを含む。
【００２５】
好ましい解決策として、回転防止部分は、プルロッドと係合解除防止部分との間に設けられ、中間横方向プルロッドクランプ溝と共働するように構成された回転防止横方向表面を有する。
【００２６】
好ましい解決策として、回転防止部分は、係合解除防止部分上に設けられた位置限定横方向表面を含む。
【００２７】
結果として、本出願は、以下の有益な効果を有する。本出願は、簡単な構造を有し、低コストであり、製造が便利であり、作動が簡単であり、時間および労力を節約する。
【図面の簡単な説明】
【００２８】
【図１】本出願の第１の実施形態の適用を示す概略図である。
【図２】図１の部分Ａを示す部分的拡大図である。
【図３】図１のプルロッドの構造を示す概略図である。
【図４】中間連結ブロックの構造を示す概略図である。
【図５】下側連結ブロックの構造を示す概略図である。
【図６】別の下側連結ブロックの構造を示す概略図である。
【図７】本出願の第２の実施形態の構造を示す概略図である。
【図８】本出願の第３の実施形態の適用を示す構造概略図である。
【図９】図８の部分Ｂを示す部分的拡大図である。
【発明を実施するための形態】
【００２９】
本出願は、さらに、これ以後図を参照して詳細に説明される。
【００３０】
特有の実施形態は、本出願を限定するのではなく、本出願を説明するよう意図されるものである。創造的な貢献を有さない改変を、本明細書を読んだ後、必要に応じて当業者によって本実施形態に加えることができ、本出願の特許請求の範囲内のこれらの改変は、特許法の下で保護される。
【００３１】
実施形態：図１〜４に示すように、図１は、この実施形態を採用する鋼管支持デバイスを示し、この鋼管支持デバイスは、底部から上部に連続して互い平行に配置された複数の鋼管支持フレームと、複数の鋼管支持フレームの２つの端部に配置され、複数の鋼管支持フレームを連結するように構成された２つの垂直連結機構２とを含む。鋼管支持アセンブリをロックするように構成された横方向プルロッド機構として具現化された垂直連結機構２が、２つ存在する。横方向プルロッド機構は、プルロッド２０１と、上側連結プレート２０８と、上側連結プレート２０８内に設けられたプルロッド貫通穴２０２と、下側連結プレート２０９と、下側連結プレート２０９内に設けられた下側横方向プルロッドクランプ溝２１０と、上側連結プレート２０８と下側連結プレート２０９との間に設けられた中間連結ブロック２１１と、中間連結ブロック２１１内に設けられた中間横方向プルロッドクランプ溝２１２と、プルロッド２０１の上側端部に設けられたねじ付きセクション２０３と、ねじ付きセクション２０３に螺着される締め付けナット２０４と、プルロッド２０１の下側端部に配置され、プルロッド２０１が下側横方向プルロッドクランプ溝２１０から垂直に係合解除することを防止するように構成された係合解除防止部分２０５と、係合解除防止部分２０５が外方向に摺動することを防止するように構成された横方向停止プレート２０６とを含む。
【００３２】
上側連結プレート２０８は、最上鋼管支持フレーム上に配設され、下側連結プレート２０９は、最下鋼管支持フレーム上に配設され、下側横方向プルロッドクランプ溝２１０は、下側連結プレート２０９内に配設され、中間連結ブロック２１１は、残りの鋼管支持フレームの各々上に配設される。中間連結ブロック２１１は、プラスチックから作製される。中間連結ブロック２１１は、連結本体２１１１と、連結本体２１１１の端部に配設された挿入本体２１１２と、連結本体２１１１上に配設された一対の停止ブロック２１１３とを含む。中間横方向プルロッドクランプ溝２１２は、連結本体２１１１の挿入本体２１１２に近い端部に配設される。挿入本体２１１２は、矩形断面を有し、挿入本体２１１２の、その幅方向の２つの横方向表面には、挿入本体２１１２の長さ方向に沿って延びる細長いスロット２１１５が各々設けられる。凹状空洞２１１４が、連結本体２１１１の端面に配設され、２つの凹状空洞２１１４が設けられる。
【００３３】
プルロッド２０１は剛性ロッドであり、プルロッド２０１の断面は円形または多角形などである。プルロッド２０１は、通常、鋼ロッドを採用する。プルロッド貫通穴２０２は、上側連結プレート２０８内に設けられた貫通穴である。上側連結プレート２０８は、最上支持内側コア内に挿入され、下側連結プレートは、最下支持内側コア内に挿入される。中間連結ブロック２１１は、プラスチックから作製され、支持内側コア内に固定式に挿入される。同様に、最上鋼管支持フレームには、対応する支持内側コア内に挿入された上側連結ブロックが設けられ、上側連結ブロックは、プラスチックから完全にまたは部分的に作製され、保護機能を有することができる。最下鋼管支持フレームには、プラスチックから作製され、対応する支持内側コア内に挿入される下側連結ブロックが設けられる。中間横方向プルロッドクランプ溝２１２および下側横方向プルロッドクランプ溝２１０を設けることにより、プルロッドの入口を可能にする通路が形成され、これによってプルロッドが横側から通路に入ることを可能にし、それによって取り付けを容易にする。互いに共働する位置決め平面の対が、係合解除防止部分２０５および下側連結プレートの底部にそれぞれ配設され、位置決め平面の対を設けることにより、プルロッドを確実に垂直にし、プルロッドが傾くことを防止して、鋼管の固定効果に影響を与えることを回避することができる。係合解除防止部分２０５の底面は、球状表面である。垂直連結機構２は、さらに、係合解除防止部分２０５が外方向に摺動することを防止するように構成された横方向停止プレート２０６を含む。横方向停止プレート２０６は、下側連結プレートの端部分を曲げることによって形成され、または横方向停止プレート２０６は、下側連結プレート上に固定され、曲がり端部分を有する。横方向停止プレート２０６は、係合解除防止部分２０５が摺動して下側横方向プルロッドクランプ溝２１０から退出することを防止し、それによってプルロッドの下側端部が傾くことを防止する。回転防止部分２０７が、プルロッド２０１と係合解除防止部分２０５との間に設けられ、下側横方向プルロッドクランプ溝２１０と共働してプルロッド２０１の回転を防止する。回転防止部分２０７は、プルロッド２０１の回転を防止するように構成され、それによって締め付けナットをねじ付きセクション２０３上に取り付けることを容易にする。下側横方向プルロッドクランプ溝２１０の２つの横方向表面と共働するために、回転防止部分２０７には、２つの回転防止横方向表面が設けられる。回転防止部分２０７は、この実施形態では矩形であり、多角形本体、またはほぼ多角本体、またはシリンダでもよく、このとき２つの回転防止横方向表面がその外面に機械加工されている。プルロッド２０１、係合解除防止部分および回転防止部分は、一体型ユニットになるように一体的に形成されても、または溶接されてもよく、取り外し可能ではない。
【００３４】
下側連結ブロック２１３が、下側連結プレート２０９の端部分に設けられ、下側連結ブロックは、下側連結プレートの端部分内に挿入され、下側連結ブロックは、プラスチックまたは他の材料から作製される。下側連結ブロック２１３の構造図である図５を参照する。下側連結ブロック２１３は、中空シェル構造であり、その上には、挿入式連結空洞２１３１および挿入式連結空洞と連通する開放スロット２１３２が、設けられる。開放スロット２１３２は、プルロッドが通過することを可能にするように構成され、端部分停止縁２１３３は、開放スロット２１３２の端部に形成され、底部開口部２１３４は、開放スロット２１３２とは反対側の底部横方向表面内に設けられる。２つの横方向バッフル２１３５が、底部開口部２１３４の２つの側に配置され、案内取り付け溝２１３６が、横方向バッフル２１３５と中空シェルの横方向プレートとの間に形成される。取り付け中、下側連結プレートの伸張された端部の横方向プレートは、案内取り付け溝２１３６内に挿入される。図６を参照すると、下側連結ブロック２１３はまた、図６に示す構造を採用することもできる。下側連結ブロック２１３は、中空シェル構造であり、その上には、挿入式連結空洞２１３１および挿入式連結空洞と連通する開放スロット２１３２が、設けられる。開放スロット２１３２は、プルロッドが通過することを可能にするように構成され、端部停止縁２１３３が開放スロット２１３２の端部に形成されて、プルロッドが横方向に摺動して退出することを防止する。開放されたスロット２１３２とは反対側の底部横方向壁（すなわち、開放スロットが配設された横方向表面とは反対側の別の横方向表面）は、下方向に突起して底部溝２１３７を形成する。底部溝２１３７の底部は、底部連結プレート２１３８であり、これによって下側連結ブロック２１３全体の完全性を確実にする。
【００３５】
第２の実施形態は、図７を参照することができる。この実施形態では、回転防止部分２０７は、プルロッド２０１と係合解除防止部分２０５との間に配置されるのではなく、係合解除防止部分２０５の位置限定横方向表面上に配置される。位置限定横方向表面の数は、１つ、２つ、３つ、４つ、５つ、または６つであり、プルロッド２０１の回転を防止するために、少なくとも１つの位置限定横方向表面が下側連結プレート２０９の横方向プレートと共働することを確実にしなければならない。この実施形態の残りの部分は、第１の実施形態と同じである。
【００３６】
第３の実施形態は、図８および図９を参照することができる。鋼管支持アセンブリをロックするように構成された横方向プルロッド機構は、プルロッド２０１と、上側連結プレート２０８と、上側連結プレート２０８内に設けられた上側横方向プルロッドクランプ溝２１４と、下側連結プレート２０９と、下側連結プレート２０９内に設けられた下側横方向プルロッドクランプ溝２１０と、上側連結プレート２０８と下側連結プレート２０９との間に設けられた中間連結ブロック２１１と、中間連結ブロック２１１内に設けられた中間横方向プルロッドクランプ溝２１２と、プルロッド２０１の上側端部に設けられたねじ付きセクション２０３と、ねじ付きセクション２０３に螺着される締め付けナット２０４と、プルロッド２０１の下側端部に設けられ、プルロッド２０１が下側横方向プルロッドクランプ溝２１０から垂直に係合解除することを防止するように構成された係合解除防止部分２０５と、係合解除防止部分２０５が外方向に摺動することを防止するように構成された横方向停止プレート２０６とを含む。回転防止部分２０７が、プルロッド２０１と係合解除防止部分２０５との間に設けられ、中間横方向プルロッドクランプ溝２１２と共働してプルロッド２０１の回転を防止する。上側連結プレート２０８には、締め付けナット２０４が上側横方向プルロッドクランプ溝２１４から係合解除することを防止するように構成された停止プレート２１５がさらに設けられる。回転防止部分２０７は、プルロッド２０１の回転を防止するように構成され、それによって締め付けナットをねじ付きセクション２０３上に取り付けることを容易にする。下側横方向プルロッドクランプ溝２１０の２つの横方向表面と共働するために、回転防止部分２０７には、２つの回転防止横方向表面が設けられる。回転防止部分２０７は、この実施形態では矩形であり、多角形本体、またはほぼ多角形本体、またはシリンダでもよく、２つの回転防止横方向表面が、回転防止部分２０７の外面上に機械加工される。プルロッド、係合解除防止部分および回転防止部分は、一体型ユニットになるように一体的に形成されても、または溶接されてもよく、取り外し可能ではない。同様に、下側連結ブロック２１３は、上側連結プレート２０８の端部分に設けられる。加えて、回転防止部分２０７は、プルロッド２０１と係合解除防止部分２０５との間に配置され、係合解除防止部分２０５の位置限定横方向表面上には配置されなくてよい。位置限定横方向表面の数は、１つ、２つ、３つ、４つ、５つ、または６つであり、プルロッド２０１の回転を防止するために、少なくとも１つの位置限定横方向表面が下側連結プレート２０９の横方向プレートと共働することを確実にしなければならない。
【００３７】
停止プレート２１５は、開放スロットを有するプレート本体と、プレート本体上に設けられ、開放スロットの２つの側部にそれぞれ位置する端部伸張プレートとを含む。停止プレート２１５は、溶接またはねじ連結によって上側連結プレート２０８に固定式に連結される。加えて、停止プレートは、曲がり端部を各々有する２つの別個のプレートから作製されてもよく、プレートは、溶接またはねじ連結によって上側連結プレート２０８に固定式に連結される。停止プレート２１５はまた、上側連結プレート２０８と一体的に形成され、上側連結プレート２０８の曲がり端部によって形成されてもよい。
【００３８】
第１の実施形態とは異なり、この実施形態では、上側連結プレート２０８には、貫通孔ではなく、上側横方向プルロッドクランプ溝２１４が設けられ、上側横方向プルロッドクランプ溝２１４は、停止プレート２０５によって限定されて締め付けナット２０４が外に落ちることを防止する。そのような構造により、横方向プルロッド機構を使用するとき、プルロッドは、鋼管支持フレームに横側から完全に連結されることが可能にされ、これは、非常に便利である。
【図１】
0006599482.tif 000002
【図２】
0006599482.tif 000003
【図３】
0006599482.tif 000004
【図４】
0006599482.tif 000005
【図５】
0006599482.tif 000006
【図６】
0006599482.tif 000007
【図７】
0006599482.tif 000008
【図８】
0006599482.tif 000009
【図９】
0006599482.tif 000010